【手続補正書】
【提出日】平成26年11月17日(2014.11.17)
【手続補正１】
【補正対象書類名】特許請求の範囲
【補正対象項目名】全文
【補正方法】変更
【補正の内容】
【特許請求の範囲】
【請求項１】
Ａ）少なくとも１つの繊維状支持体および
Ｂ）マトリックス材料としての少なくとも１つの反応性もしくは高反応性ポリマー組成物
から主として構成された複合半製品であって、前記ポリマー組成物は、基本的に、ヒドロキシ基、アミン基および／またはチオール基を有する（メタ）アクリレートベースの樹脂成分１と、開始剤または促進剤を含んだ樹脂成分２と、イソシアネート成分としての内部ブロックされたおよび／またはブロック剤でブロックされたジイソシアネートまたはポリイソシアネートとからなる混合物を含み、前記樹脂成分１は
２０質量％〜７０質量％の（メタ）アクリレートモノマーおよび
１質量％〜５０質量％のプレポリマー
を有する前記複合半製品。
【請求項２】
前記樹脂成分１と前記イソシアネート成分との量比は９０：１０〜５０：５０であることを特徴とする、請求項１に記載の複合半製品。
【請求項３】
前記樹脂成分１は、
０質量％〜３０質量％の架橋剤、
３０質量％〜６０質量％の（メタ）アクリレートモノマー、
５質量％〜４０質量％のプレポリマー、
０質量％〜５質量％の促進剤および
場合によりその他の助剤
から少なくとも構成され、前記樹脂成分２は、前記樹脂成分１の量を基準として、０．５〜７．０質量％の開始剤、好ましくはペルオキシドを含んでいることを特徴とする、請求項１または２のいずれか１項に記載の複合半製品。
【請求項４】
前記樹脂成分１は、
０質量％〜３０質量％の架橋剤、
３０質量％〜６０質量％の（メタ）アクリレートモノマー、
０質量％〜２０質量％のウレタン（メタ）アクリレート、
５質量％〜４０質量％のプレポリマー、
０．５質量％〜７．０質量％の開始剤、好ましくはペルオキシドおよび
場合によりその他の助剤
から少なくとも構成され、前記樹脂成分２は、前記樹脂成分１の量を基準として、０．１質量％〜５質量％の促進剤を含んでいることを特徴とする、請求項１または２のいずれか１項に記載の複合半製品。
【請求項５】
前記開始剤はジラウロイルペルオキシド、ペルマレイネートおよび／またはジベンゾイルペルオキシドであり、前記促進剤は芳香族置換された第三級アミンであることを特徴とする、請求項１〜４のいずれか１項に記載の複合半製品。
【請求項６】
前記繊維状支持体はその大部分が、ガラス、炭素、プラスチック、たとえばポリアミド（アラミド）またはポリエステル、天然繊維、または無機物繊維材料、たとえば玄武岩繊維またはセラミック繊維からなっていることを特徴とする、請求項１〜５のいずれか１項に記載の複合半製品。
【請求項７】
前記繊維状支持体は、不織布からなる繊維製面状構造物、メリヤス生地、織布および編布、非メッシュ組織、たとえばクロス、スクリムまたは編組物、長繊維材料または短繊維材料として存在することを特徴とする、請求項６に記載の複合半製品。
【請求項８】
イソホロンジイソシアネート（ＩＰＤＩ）、ヘキサメチレンジイソシアネート（ＨＤＩ）、ジイソシアナトジシクロヘキシルメタン（Ｈ12ＭＤＩ）、２−メチルペンタンジイソシアネート（ＭＰＤＩ）、２，２，４−トリメチルヘキサメチレンジイソシアネート／２，４，４−トリメチルヘキサメチレンジイソシアネート（ＴＭＤＩ）および／またはノルボルナンジイソシアネート（ＮＢＤＩ）から選択されたジイソシアネートまたはポリイソシアネート（この場合、イソシアヌレートも使用可能である）がイソシアネート成分として使用されることを特徴とする、請求項１〜７のいずれか１項に記載の複合半製品。
【請求項９】
ジイソシアネートまたはポリイソシアネートは、アセト酢酸エチルエステル、ジイソプロピルアミン、メチルエチルケトキシム、マロン酸ジエチルエステル、ε−カプロラクタム、１，２，４−トリアゾール、フェノールまたは置換されたフェノールおよび／または３，５−ジメチルピラゾールから選択された外部ブロック剤でブロックされていることを特徴とする、請求項１〜８のいずれか１項に記載の複合半製品。
【請求項１０】
前記イソシアネート成分はさらに０．１〜５．０質量％の触媒、好ましくは、ジブチル錫ジラウレート、亜鉛オクトエート、ビスマスネオデカノエートを含み、および／または０．００１〜１質量％の量の第三級アミン、たとえば１，４−ジアザビシクロ［２．２．２．］オクタンを含んでいることを特徴とする、請求項１〜９のいずれか１項に記載の複合半製品。
【請求項１１】
前記イソシアネート成分として、イソホロンジイソシアネート（ＩＰＤＩ）、ヘキサメチレンジイソシアネート（ＨＤＩ）、ジイソシアナトジシクロヘキシルメタン（Ｈ12ＭＤＩ）、２−メチルペンタンジイソシアネート（ＭＰＤＩ）、２，２，４−トリメチルヘキサメチレンジイソシアネート／２，４，４−トリメチルヘキサメチレンジイソシアネート（ＴＭＤＩ）および／またはノルボルナンジイソシアネート（ＮＢＤＩ）から製造されたウレトジオンが使用されることを特徴とする、請求項１〜８のいずれか１項に記載の複合半製品。
【請求項１２】
前記イソシアネート成分は、４０℃未満の温度では固体の形で存在し、１２５℃超の温度では液体の形で存在し、５質量％未満の遊離ＮＣＯ含有量および３〜２５質量％のウレトジオン含有量を有していることを特徴とする、請求項１〜８または１１のいずれか１項に記載の複合半製品。
【請求項１３】
前記イソシアネート成分は、さらに、対イオンとしてのハロゲン、ヒドロキシド、アルコレートまたは有機または無機酸アニオンを有する第四級アンモニウム塩および／または第四級ホスホニウム塩から選択された０．１〜５質量％の少なくとも１つの触媒を含んでいることを特徴とする、請求項１〜８、１１または１２のいずれか１項に記載の複合半製品。
【請求項１４】
前記イソシアネート成分は、さらに、少なくとも１つのエポキシドおよび／または少なくとも１つの金属アセチルアセトネートおよび／または第四級アンモニウムアセチルアセトネートおよび／または第四級ホスホニウムアセチルアセトネートから選択された０．１〜５質量％の少なくとも１つの助触媒および、場合により、ポリウレタン化学から公知の助剤および添加剤を含んでいることを特徴とする、請求項１〜８または１１〜１３のいずれか１項に記載の複合半製品。
【請求項１５】
前記樹脂成分１と前記イソシアネート成分とは、前記樹脂成分１の各ヒドロキシル基に０．３〜１．０、好ましくは０．６〜０．９、特に好ましくは０．４５〜０．５５のウレトジオン基および／または前記イソシアネート成分の外部ブロックされたイソシアネート基が対応する相互比で存在していることを特徴とする、請求項１〜１４のいずれか１項に記載の複合半製品。
【請求項１６】
複合半製品を製造し、該半製品をさらに成形部材に再加工するための方法であって、以下の方法工程
Ｉ  請求項１または２のいずれか１項に記載の前記樹脂成分１および２と、請求項８または９のいずれか１項に記載の前記イソシアネート成分とを含んだ反応性組成物を製造する方法工程、
ＩＩ  請求項６または７のいずれか１項に記載の前記繊維状支持体に方法工程Ｉで得られた組成物を直接含浸させる方法工程、
ＩＩＩ  前記樹脂成分を硬化させる方法工程、
ＩＶ  後の成形部材に合わせて賦形する方法工程、
Ｖ  前記イソシアネート成分を硬化させる方法工程
から構成されることを特徴とする方法。
【請求項１７】
方法工程Ｖにおける前記イソシアネート成分の硬化は、６０〜１２０℃の温度にて、好ましくは８０〜１００℃の温度にて実施されることを特徴とする、請求項１６に記載の方法。
【請求項１８】
請求項１〜１５のいずれか１項に記載の前記複合半製品を、船舶造船分野、航空宇宙技術分野、自動車製作分野、二輪車、好ましくはオートバイおよび自転車分野、自動車、建築、医療技術、スポーツ、電気電子工業、エネルギー発生装置における、たとえば、風力発電装置の回転翼の複合部材の製造のために用いる使用。
【請求項１９】
請求項１〜１５のいずれか１項に記載の複合半製品から製造された、Ａ）少なくとも１つの繊維状支持体と、Ｂ）少なくとも１つの架橋された反応性組成物、好ましくは、マトリックスとして（メタ）アクリレートを含んだ架橋されたウレトジオン基含有反応性組成物とから構成された成形部材。